(57)【要約】【課題】簡単な構成で、レンズをレンズ保持部材に保持することができるレンズ装置を提供すること。【解決手段】本発明に係るレンズ装置１００は、レンズ１１〜１３と、レンズ１１〜１３を収容するレンズ鏡筒２０とを有する。レンズ鏡筒２０は、開口を有する筒体２１と、筒体２１の開口側からレンズ１１〜１３の光軸Ｘ−Ｘ方向に沿ってレンズ１１〜１３を収容する収納部２３と、第３レンズ１３の背面を支える背面支持面２４ａと、筒体２１の開口側の外周縁から延出され、先端部に係止部５１が形成され、弾性を有する前面支持部５０とを備えている。係止部５１は、第１レンズ１１の外周縁の前面がレンズ１１〜１３の光軸Ｘ−Ｘに対して略平行方向に複数個所で押圧されるように設けられている。【選択図】図１
2007121612.tif 000002
【特許請求の範囲】
【請求項１】
複数のレンズと、上記複数のレンズの各光軸を揃えて上記複数のレンズを収容するレンズ保持部材とを有するレンズ装置であって、
上記レンズ保持部材は、一端に開口を有する筒体と、上記筒体の開口側から上記複数のレンズの光軸方向に沿って、上記複数のレンズを収容する収納部と、上記収納部の一部を構成し、上記複数のレンズのうち、上記筒体の上記開口から最も遠いレンズの背面側を支える背面支持部と、上記筒体の開口側の外周縁から延出され、先端に係止部が形成され、弾性を有する前面支持部とを備え、
上記係止部は、上記複数のレンズのうち、上記背面支持部から最も遠いレンズの外周縁の前面が、上記複数のレンズの光軸に対して略平行方向に複数個所で押圧されるように設けられたことを特徴とするレンズ装置。
【請求項２】
上記係止部は、上記複数のレンズのうち、上記背面支持部から最も遠いレンズの外周縁の前面が、上記複数のレンズの光軸に対して略平行方向および略垂直方向に複数個所で押圧されるように設けられたことを特徴とする請求項１に記載のレンズ装置。
【請求項３】
上記前面支持部は、上記複数のレンズのうち、上記背面支持部から最も遠いレンズの外周端部に複数個所で接するように設けられたことを特徴とする請求項１に記載のレンズ装置。
【請求項４】
上記収納部の内壁は、上記１以上のレンズの外周端に沿って形成されたことを特徴とする請求項１に記載のレンズ装置。
【請求項５】
上記係止部および上記背面支持部の間に、弾性部材を介在させたことを特徴とする請求項１に記載のレンズ装置。
【請求項６】
上記背面支持部上であって、上記筒体の上記開口に最も遠いレンズの背面および上記背面支持部の間に形成され、上記複数のレンズの光軸に対して略平行方向に伸縮する弾性部を備えたことを特徴とする請求項１に記載のレンズ装置。
【請求項７】
上記複数のレンズのうち、上記背面支持部から最も遠いレンズの外周縁の前面であって、上記係止部が押圧する位置に、上記係止部に対応した面が形成されたことを特徴とする請求項１に記載のレンズ装置。
【請求項８】
レンズと、上記レンズを収容するレンズ保持部材とを有するレンズ装置であって、
上記レンズ保持部材は、一端に開口を有する筒体と、上記筒体の開口側から上記レンズの光軸方向に沿って、上記レンズを収容する収納部と、上記収納部の一部を構成し、上記レンズの背面側を支える背面支持部と、上記筒体の開口側の外周縁から延出され、先端に係止部が形成され、弾性を有する前面支持部とを備え、
上記係止部は、上記レンズの外周縁の前面が、上記レンズの光軸に対して略平行方向に複数個所で押圧されるように設けられたことを特徴とするレンズ装置。
【請求項９】
上記係止部は、上記レンズの外周縁の前面が、上記レンズの光軸に対して略平行方向および略垂直方向に複数個所で押圧されるように設けられたことを特徴とする請求項８に記載のレンズ装置。
【発明の詳細な説明】
【技術分野】
【０００１】
本発明は、レンズ装置に関し、特に、レンズと、当該レンズを収容するレンズ保持部材とを備えたものに関する。
【背景技術】
【０００２】
近年、デジタルカメラや携帯電話機などの電子装置に、小型レンズが広く用いられている。この小型レンズはレンズ表面の保護などのため、レンズ保持部材であるレンズ鏡筒に保持・固定されて使用されている。
レンズをレンズ鏡筒内に保持・固定するために、例えば、接着剤によりレンズ外縁部をレンズ鏡筒内に接着して固定する技術が、提案されている（特許文献１）。また、小型レンズをレンズ鏡筒内に固定・保持するために、押え環等のリング状部材をレンズ鏡筒にねじ込んでレンズを押圧固定する技術が、提案されている（特許文献２）。
【０００３】
【特許文献１】特開平１１−３１３２３５号公報
【特許文献２】特開２００５−１７９５５号公報
【発明の開示】
【発明が解決しようとする課題】
【０００４】
しかしながら、特許文献１に記載されている技術では、レンズの外周縁や鏡筒の内壁に、接着剤を塗布して、接着剤を硬化させる作業が必要であり、製造工数が増えるという問題があった。また、特許文献２に記載されている技術では、押え環等のリング状部材を新たに追加する必要が生じ、部品点数が増えるという問題があった。
本発明は、このような問題点を解決するためになされたもので、簡単な構成で、レンズをレンズ保持部材に保持することができるレンズ装置を提供することを目的とする。
【課題を解決するための手段】
【０００５】
本発明に係るレンズ装置は、複数のレンズと、複数のレンズの各光軸を揃えて複数のレンズを収容するレンズ保持部材とを有するレンズ装置であって、レンズ保持部材は、一端に開口を有する筒体と、筒体の開口側から複数のレンズの光軸方向に沿って、複数のレンズを収容する収納部と、収納部の一部を構成し、複数のレンズのうち、筒体の開口から最も遠いレンズの背面側を支える背面支持部と、筒体の開口側の外周縁から延出され、先端に係止部が形成され、弾性を有する前面支持部とを備え、係止部は、複数のレンズのうち、背面支持部から最も遠いレンズの外周縁の前面が、複数のレンズの光軸に対して略平行方向に複数個所で押圧されるように設けられたことを特徴とするものである。このような構成にしたことにより、簡単な構成で、レンズをレンズ保持部材に保持することができる。
【０００６】
ここで、係止部は、複数のレンズのうち、背面支持部から最も遠いレンズの外周縁の前面が、複数のレンズの光軸に対して略平行方向および略垂直方向に複数個所で押圧されるように設けられてもよい。また、前面支持部は、複数のレンズのうち、背面支持部から最も遠いレンズの外周端部に複数個所で接するように設けられてもよい。また、収納部の内壁は、１以上のレンズの外周端に沿って形成されてもよい。また、係止部および背面支持部の間に、弾性部材を介在させてもよい。また、背面支持部上であって、筒体の開口に最も遠いレンズの背面および背面支持部の間に形成され、複数のレンズの光軸に対して略平行方向に伸縮する弾性部を備えてもよい。また、複数のレンズのうち、背面支持部から最も遠いレンズの外周縁の前面であって、係止部が押圧する位置に、係止部に対応した面が形成されてもよい。
【０００７】
本発明に係るレンズ装置は、レンズと、レンズを収容するレンズ保持部材とを有するレンズ装置であって、レンズ保持部材は、一端に開口を有する筒体と、筒体の開口側からレンズの光軸方向に沿って、レンズを収容する収納部と、収納部の一部を構成し、レンズの背面側を支える背面支持部と、筒体の開口側の外周縁から延出され、先端に係止部が形成され、弾性を有する前面支持部とを備え、係止部は、レンズの外周縁の前面が、レンズの光軸に対して略平行方向に複数個所で押圧されるように設けられたことを特徴とするものである。このような構成にしたことにより、簡単な構成で、レンズをレンズ保持部材に保持することができる。ここで、係止部は、レンズの外周縁の前面が、レンズの光軸に対して略平行方向および略垂直方向に複数個所で押圧されるように設けられてもよい。
【発明の効果】
【０００８】
本発明によれば、簡単な構成で、レンズをレンズ保持部材に保持することができる。
【発明を実施するための最良の形態】
【０００９】
発明の実施の形態１．
本発明の実施の形態１に係るレンズ装置について、図に基づいて説明する。図１は、本発明の実施の形態１に係るレンズ装置の構成を示す図であって、左図は外観図であり、右図はレンズ装置の中心線を含む面で切断したときの断面図である。なお、図１のＸ−Ｘ線はレンズ装置１００の中心線であるとともに、レンズ１１〜１３のレンズ群の光軸でもある。図２は、本発明の実施の形態１に係るレンズ装置のレンズ鏡筒の構成を示す図であって、図２（ａ）は上面図、図２（ｂ）は正面であって、左図は外観図であり、右図はレンズ鏡筒の中心線Ｏ−Ｃを含む面で切断したときの断面図である。なお、図２のＹ−Ｙ線はレンズ鏡筒２０の中心線である。
【００１０】
図１に示されるように、本発明の実施の形態に係るレンズ装置１００は、第１レンズ１１、第２レンズ１２および第３レンズ１３のレンズ群と、レンズ保持部としてのレンズ鏡筒２０と、弾性部材としてのＯリング３０とから構成されている。
図１に示されるように、各レンズ１１、１２、１３は、光軸Ｘ−Ｘを揃えて、レンズ鏡筒２０の内側に形成された収容部２３に、順次重ねて収容されている。なお、各レンズ１１、１２、１３の光軸Ｘ−Ｘは、レンズ装置１００の中心線と一致する。
【００１１】
図１に示されるように、第１レンズ１１は、円板状に形成され、レンズ鏡筒２０の底板２４の内面である、背面支持部としての背面支持面２４ａから最も遠い位置に配置されている。第１レンズ１１の前面（図１紙面の上側）には、凸状の曲面１１ａが形成されており、第１レンズ１１の背面（図１紙面の下側）には、凹状の曲面１１ｂが形成されている。また、第１レンズ１１の前面の外周縁には、全周に亘り、後述の係止部５１に対応した平面１１ｃが形成されている。また、図１に示されるように、平面１１ｃは凸状の曲面１１ａよりも低い位置に形成されており、第１レンズ１１の前面の外周縁には、段差１１ｄが形成されている。
【００１２】
図１に示されるように、第２レンズ１２は、円板状に形成され、第１レンズ１１および第３レンズ１３の間に配置されている。第２レンズ１２の前面（図１紙面の上側）は平坦面であり、第２レンズ１２の背面（図１紙面の下側）には、凹状の曲面１２ａが形成されている。また、第２レンズ１２の背面の外周縁には、全周に亘り、斜面１２ｂが形成されている。
図１に示されるように、第３レンズ１３は、円板状に形成され、図２で示される後述のレンズ鏡筒２０の開口２１から最も遠い位置に配置されている。第３レンズ１３の背面は、レンズ鏡筒２０の背面支持面２４ａにより、支持されている。
なお、各レンズ１１、１２、１３の材料には、例えば、ポリオレフィンなどの合成樹脂やガラスなどが、用いられる。
【００１３】
図１および図２に示されるように、レンズ保持部材としてのレンズ鏡筒２０は、一端に開口２２を有する筒体２１と、収納部２３と、底板２４と、前面支持部５０とを備えている。レンズ鏡筒２０の材料には、例えば、ポリフタルアミドやＡＢＳなどの樹脂が用いられている。
筒体２１の内側には、レンズ１２、１３の外周端に沿って、内壁が形成されている。この内壁により、各レンズ１２、１３が、レンズ群の光軸Ｘ−Ｘに対して垂直方向で規制され、各レンズ１２、１３の光軸が揃えられる。なお、図１では、筒体２１の内壁がレンズ１２、１３の外周端に沿って形成される態様を示したが、筒体２１の内壁をレンズ１１〜１３の外周端に沿って形成してもよい。また、レンズ鏡筒２０の他端には、貫通穴２５が形成された底板２４が設けられている。
【００１４】
収容部２３は、筒体２１の内壁、前面支持部５０の内面および底板２４の内面である背面支持面２４ａに囲われた空間により構成されている。このレンズ鏡筒２０の背面支持面２４ａにより、第３レンズ１３の背面が支持されている。なお、面状の背面支持面２４ａに代えて、例えば、複数の凸状のボスやリブにより、第３レンズ１３の背面を支持するように構成してもよい。
図１に示されるように、この収容部２３には、筒体の開口２２側からレンズ群の光軸Ｘ−Ｘに沿って、第１レンズ１１、第２レンズ１２および第３レンズ１３が重ねて収容される。
【００１５】
図１および図２（ａ）に示されるように、前面支持部５０は、筒体２１の開口２２側の外周縁に沿って等間隔に３箇所設けられている。なお、前面支持部５０を、２箇所または４箇所以上設けてもよい。この際にも、係止部５１による押圧力のバランスを考慮して、各前面支持部５０は筒体２１の開口２２側の外周縁に沿って等間隔に設けることが好ましい。各前面支持部５０は弾性を有し、レンズ群の光軸Ｘ−Ｘに対して略垂直方向、すなわちレンズ群の中心部から外周側または外周側から中心部に向けて撓むように形成されている。
【００１６】
また、各前面支持部５０は、筒体２１の開口２２側の外周縁から延出され、先端に係止部５１が形成され、レンズ群のうち、背面支持面２４ａから最も遠いレンズである第１レンズ１１の外周端部１１ｄに接するように設けられている。このようにしたことにより、第１レンズ１１が、レンズ群の光軸Ｘ−Ｘに対して垂直方向で規制される。すなわち、各前面支持部５０の内面の間で、第１レンズ１１の外周端を挟持して、第１レンズ１１をレンズ鏡筒２０の中心に保持・固定することができる。そして、第１レンズ１１の中心がレンズ群の光軸Ｘ−Ｘから外れて取り付けられても、前面支持部５０の弾性力によりレンズ群の光軸Ｘ−Ｘ側に補正される。
【００１７】
また、各係止部５１は、第１レンズ１１の外周縁の前面に形成された平面１１ｃが、レンズ群の光軸Ｘ−Ｘに対して略平行方向に押圧されるように設けられている。このようにしたことにより、第１レンズ１１、第二レンズ１２および第３レンズ１３のレンズ群が、レンズ群の光軸Ｘ−Ｘ方向で規制される。すなわち、係止部５１および背面支持面２４ａの間で、第１レンズ１１、第二レンズ１２および第３レンズ１３のレンズ群を挟持して、レンズ群をレンズ鏡筒２０に保持・固定することができる。
【００１８】
この際に、図１に示されるように、弾性部材としてのＯリング３０を、係止部５１および背面支持面２４ａの間に介在させるとよい。図１に示されるように、Ｏリング３０は、第１レンズ１１の背面、第２レンズ１２の外周端面およびレンズ鏡筒２０の内壁に囲われた領域に設けられている。Ｏリング３０の材料には、例えば、合成ゴムが用いられている。図１に示されるように、Ｏリング３０の内径は、第２レンズ１２の外径よりも大きく、Ｏリング３０の外径は、第１レンズ１１の外径よりも小さく設定されている。
【００１９】
Ｏリング３０は、第１レンズ１１、第２レンズ１２および第３レンズ１３がレンズ鏡筒２０内の収容部２３に収容され、係止部５１が第１レンズ１１の前面の外周縁に形成された平面１１ｃに取り付けられたとき、第１レンズ１１の背面、第２レンズ１２の外周端面およびレンズ鏡筒２０の内壁により、押圧されて圧縮するように設けられている。なお、図１では、圧縮前のＯリング３０を示している。
【００２０】
このように、Ｏリング３０を係止部５１および背面支持面２４ａの間に介在させることにより、第１レンズ１１の外周縁の前面に形成された平面１１ｃが、各係止部５１により、レンズ群の光軸Ｘ−Ｘ方向に確実に押圧される。従って、係止部５１および背面支持面２４ａの間で、第１レンズ１１、第二レンズ１２および第３レンズ１３のレンズ群を確実に挟持して、レンズ群をレンズ鏡筒２０に確実に保持・固定することができる。また、Oリング３０を係止部５１および背面支持面２４ａの間に介在させることにより、レンズ鏡筒２０の開口２２側の密閉性を確保することができる。
【００２１】
以上のように、筒体２１の開口２２側の外周縁から延出され、先端に係止部５１が形成され、レンズ群のうち、背面支持面２４ａから最も遠いレンズである第１レンズ１１の外周端部１１ｄに複数個所で接する弾性を有する前面支持部５０とを備え、第１レンズ１１の外周縁の前面に形成された平面１１ｃがレンズ群の光軸Ｘ−Ｘに対して略平行方向に複数個所で押圧されるように、係止部５１を設けたことにより、特許文献１に記載の技術のように、レンズの外周縁や鏡筒の内壁に、接着剤を塗布して、接着剤を硬化させる作業を必要とせず、また、特許文献２に記載の技術のように、押え環等のリング状部材を新たに追加する必要もなく、簡単な構成で、レンズ１１、１２、１３をレンズ保持部材としてのレンズ鏡筒２０に簡単に保持することができる。
【００２２】
発明の実施の形態２．
次に、本発明の実施の形態２に係るレンズ装置について、図に基づいて説明する。図３は、本発明の実施の形態２に係るレンズ装置の構成を示す図であって、左図は外観図であり、右図はレンズ装置の中心線を含む面で切断したときの断面図である。なお、図３のＺ−Ｚ線はレンズ装置１０１の中心線であるとともに、レンズ群の光軸でもある。
本発明の実施の形態１では、図１および図２に示されるように、Ｏリング３０が係止部５１および背面支持面２４ａの間に介在されているのに対し、本発明の実施の形態２では、図３に示されるように、レンズ群の光軸Ｚ−Ｚに対して略平行方向に伸縮する弾性部４０が、背面支持面２４ａ上であって、筒体２１の開口２２に最も遠いレンズである第３レンズ１３の背面および背面支持面２４ａの間に形成されている点で相違する。
【００２３】
また、本発明の実施の形態２では、図３に示されるように、図１で示されるＯリング３０を設けないことから、本発明の実施の形態１の場合と比較して、第１レンズ１１の背面、第２レンズ１２の外周端面およびレンズ鏡筒２０の内壁に囲われた領域が狭くなっている。
弾性部４０は、二重の環状に形成されており、背面支持面２４ａから突出して形成されている。弾性部４０は、第１レンズ１１、第２レンズ１２および第３レンズ１３がレンズ鏡筒２０内の収容部２３に収容され、係止部５１が第１レンズ１１の前面の外周縁に形成された平面１１ｃに取り付けられたとき、第３レンズ１３の背面により押圧されて圧縮するように設けられている。なお、このように設けられる限り、弾性部４０は環状である必要はない。弾性部４０の材料には、例えば、合成ゴムなどの弾性材料が用いられる。弾性部４０はレンズ鏡筒２０と一体に成形されている。但し、弾性部４０を別体で形成した後、接着剤により背面支持面２４ａ上に取り付けてもよい。
【００２４】
このように、レンズ群の光軸Ｚ−Ｚ方向に伸縮する弾性部４０を、背面支持面２４ａ上であって、筒体２１の開口２２に最も遠いレンズである第３レンズ１３の背面および背面支持面２４ａの間に形成したので、第１レンズ１１の外周縁の前面に形成された平面１１ｃが、各係止部５１により、レンズ群の光軸Ｘ−Ｘに対して略平行方向に確実に押圧され、係止部５１および背面支持面２４ａの間で、第１レンズ１１、第二レンズ１２および第３レンズ１３のレンズ群を確実に挟持して、レンズ群をレンズ鏡筒２０に確実に保持・固定することができる。
【００２５】
発明の実施の形態３．
次に、本発明の実施の形態３に係るレンズ装置について、図に基づいて説明する。図４は、本発明の実施の形態３に係るレンズ装置の構成を示す図であって、図４（ａ）の左図は外観図であり、図４（ａ）の右図はレンズ装置の中心線を含む面で切断したときの断面図であり、図４（ｂ）は係止部周辺の拡大断面図である。図４のＷ−Ｗ線はレンズ装置１０２の中心線であるとともに、レンズ群の光軸でもある。
【００２６】
本発明の実施の形態１では、図１および図２に示されるように、各前面支持部５０の先端に形成された各係止部５１は、第１レンズ１１の外周縁の前面に形成された平面１１ｃが、レンズ群の光軸Ｘ−Ｘに対して略平行方向に押圧されるように設けられているのに対し、本発明の実施の形態３では、図４に示されるように、各前面支持部５００の先端に形成された各係止部５０１は、第１レンズ１１０の外周縁の前面に形成された斜面１１０ｆが、レンズ群の光軸Ｗ−Ｗに対して略平行方向（図４（ｂ）のベクトルｓ方向）および略垂直方向（図４（ｂ）のベクトルｔ方向）に押圧されるように設けられている点で相違する。
【００２７】
図４（ａ）および図４（ｂ）に示されるように、各係止部５０１は、レンズ群の光軸Ｗ−Ｗに対してθ＝４５度の斜面により形成されている。
また、図４（ａ）に示されるように、第１レンズ１１０の前面の外周縁には、全周に亘り、係止部５０１に対応した斜面１１０ｆが形成されている。また、図４（ａ）に示されるように、斜面１１０ｆは凸状の曲面１１０ａよりも低い位置に形成されており、第１レンズ１１０の前面の外周縁には、段差１１０ｄが形成されている。
【００２８】
第１レンズ１１０、第２レンズ１２および第３レンズ１３がレンズ鏡筒２０内の収容部２３に収容され、係止部５０１が第１レンズ１１０の前面の外周縁に形成された斜面１１０ｆに取り付けられたとき、第１レンズ１１０の前面の外周縁に形成された斜面１１０ｆが、係止部１１０ｆにより、ベクトルｒの方向に押圧される。図４（ｂ）に示されるように、ベクトルｒはベクトルｓおよびベクトルｔに分けられる。すなわち、ベクトルｓ、ｔはベクトルｒの分力であって、ベクトルｓはレンズ群の光軸Ｗ−Ｗに対して略平行方向の分力であり、ベクトルｔはレンズ群の光軸Ｗ−Ｗに対して略垂直方向の分力である。
【００２９】
このように、第１レンズ１１０、第２レンズ１２および第３レンズ１３がレンズ鏡筒２０内の収容部２３に収容され、係止部５０１が第１レンズ１１０の前面の外周縁に形成された斜面１１０ｆに取り付けられたとき、第１レンズ１１０の前面の外周縁に形成された斜面１１０ｆが、係止部１１０ｆにより、レンズ群の光軸Ｗ−Ｗに対して略平行方向（図４（ｂ）のベクトルｓ方向）および略垂直方向（図４（ｂ）のベクトルｔ方向）に押圧される。
【００３０】
以上のように、第１レンズ１１０の外周縁の前面に形成された斜面１１０ｆが、レンズ群の光軸Ｗ−Ｗに対して略平行方向および略垂直方向に複数個所で押圧されるように、係止部５０１を設けたことにより、簡単な構成で、レンズ１１０、１２、１３をレンズ保持部材としてのレンズ鏡筒２０に簡単に保持することができる。特に、第１レンズ１１０の外周縁の前面に形成された斜面１１０ｆが、係止部６１により、レンズ群の光軸Ｗ−Ｗに対して略平行方向および略垂直方向の双方に複数個所で押圧されるので、図１に示されるＯリング３０や図３に示される弾性部４０を設けるまでもなく、レンズ１１０、１２、１３をレンズ鏡筒２０に確実に保持することができる。
【００３１】
なお、上記実施の態様では、図４（ｂ）のθを４５度に設定した態様で説明したが、レンズ群の光軸Ｗ−Ｗに対して略平行方向の力（ベクトルｓ）を大きくしたい場合には、θを４５度＜θ＜９０度の範囲で設定してもよく、また、レンズ群の光軸Ｗ−Ｗに対して略垂直方向の力（ベクトルｔ）を大きくしたい場合には、θを０度＜θ＜４５度の範囲で設定してもよい。
【００３２】
以上の説明は、本発明を実施の形態を説明するものであり、本発明が以上の実施の形態に限定されるものではない。また、当業者であれば、以上の実施の形態の各要素を、本発明の範囲において、容易に変更、追加、変換することが可能である。
【００３３】
また、上記実施の形態では、レンズ装置に収容されるレンズを３枚としたが、レンズ装置の光学特性に応じて、レンズ装置に収容されるレンズを１枚、２枚、または４枚以上としてもよい。また、上記実施の形態の第１レンズ、第２レンズ、および第３レンズの形状に限定されず、レンズ装置の光学特性に応じて、各レンズの形状や曲面の曲率などを変更してもよい。
また、上記実施の形態では、第１レンズ１１の外周縁の全周に亘り、係止部に対応した面が形成される態様について説明したが、係止部に対応した面は、第１レンズ１１の外周縁の少なくとも係止部が押圧する位置に形成されていればよい。
【図面の簡単な説明】
【００３４】
【図１】本発明の実施の形態１に係るレンズ装置の構成を示す図であって、左図は外観図であり、右図はレンズ装置の中心線を含む面で切断したときの断面図である。
【図２】本発明の実施の形態１に係るレンズ装置のレンズ鏡筒の構成を示す図であって、図２（ａ）は上面図、図２（ｂ）は正面図であって、左図は外観図であり、右図はレンズ鏡筒の中心線Ｃ−Ｃを含む面で切断したときの断面図である。
【図３】本発明の実施の形態２に係るレンズ装置の構成を示す図であって、左図は外観図であり、右図はレンズ装置の中心線を含む面で切断したときの断面図である。
【図４】本発明の実施の形態３に係るレンズ装置の構成を示す図であって、図４（ａ）の左図は外観図であり、図４（ａ）の右図はレンズ装置の中心線を含む面で切断したときの断面図であり、図４（ｂ）は係止部周辺の拡大断面図である。
【符号の説明】
【００３５】
１００  レンズ装置
１１、１１０  第１レンズ
１１ａ、１１０ａ  凸状の曲面
１１ｂ、１１０ｂ  凹状の曲面
１１ｃ  平面
１１ｄ、１１０ｄ  段差
１１０ｆ  斜面
１２  第２レンズ
１２ａ  凹状の曲面
１２ｂ  斜面
１３  第３レンズ
１３ａ  凸状の曲面
２０  レンズ鏡筒
２１  筒体
２２  開口
２３  収容部
２４  底板
２５  背面支持面
３０  Ｏリング
４０  弾性部
５０、５００  前面支持部
５１、５０１  係止部
【図１】
2007121612.tif 000003
【図２】
2007121612.tif 000004
【図３】
2007121612.tif 000005
【図４】
2007121612.tif 000006